【手続補正書】
【提出日】平成28年7月6日(2016.7.6)
【手続補正１】
【補正対象書類名】特許請求の範囲
【補正対象項目名】全文
【補正方法】変更
【補正の内容】
【特許請求の範囲】
【請求項１】
第１の光起電源から第１の電力を受容するステップと、
基本相切替中間点出力ＤＣ電力送達を生成するように、前記第１の電力を基本相切替するステップと、
基本相ＤＣ電力送達を生成する前記基本相切替するステップを光起電力境界制御するステップと、
第２の光起電源から第２の電力を受容するステップと、
改変相切替中間点出力ＤＣ電力送達を生成するように、前記第２の電力を改変相切替するステップと、
改変相ＤＣ電力送達を生成する前記改変相切替するステップを光起電力境界制御するステップと、
前記基本相切替中間点出力ＤＣ電力送達を前記改変相切替中間点出力ＤＣ電力送達と同期相制御するステップと、
低貯蔵インダクタンスを通じて加算された変換結合光起電力ＤＣ出力を提供するように、前記基本相切替中間点出力ＤＣ電力送達を前記改変相切替中間点出力ＤＣ電力送達と低貯蔵インダクタンス直列電力結合するステップと
を含む、太陽エネルギー電力を高度に効率的に送達する方法。
【請求項２】
前記基本相切替中間点出力ＤＣ電力送達を前記改変相切替中間点出力ＤＣ電力送達と低貯蔵インダクタンス直列電力結合する前記ステップは、動作体制にわたって出力を達成するために０％〜１００％デューティサイクル範囲を利用する光起電力回路によって生成される、従来的な全サイクルリップルエネルギー貯蔵よりも小さい低貯蔵インダクタンスを通じて前記電圧を加算するステップを含む、請求項１に記載の太陽エネルギー電力を高度に効率的に送達する方法。
【請求項３】
基本相ＤＣ電力送達を生成する前記基本相切替するステップを光起電力境界制御する前記ステップは、前記基本相ＤＣ電力送達を光起電力電流制限制御するステップを含み、改変相ＤＣ電力送達を生成する前記改変相切替するステップを光起電力境界制御する前記ステップは、前記改変相ＤＣ電力送達を光起電力電流制限制御するステップを含む、請求項２に記載の太陽エネルギー電力を高度に効率的に送達する方法。
【請求項４】
前記電圧を加算する前記低貯蔵インダクタンスを通じて、前記基本相切替中間点出力ＤＣ電力送達を前記改変相切替中間点出力ＤＣ電力送達と直列電力結合する前記ステップは、動作体制にわたって出力を達成するために０％〜１００％デューティサイクル範囲を利用する光起電力回路によって生成される、４分の１の従来的な全サイクルリップルエネルギー貯蔵よりも小さいまたはそれと等しいインダクタンスを通じて前記電圧を加算するステップを含む、請求項２に記載の太陽エネルギー電力を高度に効率的に送達する方法。
【請求項５】
同期相制御する前記ステップは、基本相切替する前記ステップを改変相切替する前記ステップと同期してデューティサイクル制御するステップを含む、請求項１に記載の太陽エネルギー電力を高度に効率的に送達する方法。
【請求項６】
同期してデューティサイクル制御する前記ステップは、基本相切替する前記ステップを改変相切替する前記ステップと共通デューティサイクル制御するステップを含む、請求項５に記載の太陽エネルギー電力を高度に効率的に送達する方法。
【請求項７】
光起電力ＤＣ−ＡＣインバータへの変換されたＤＣ光起電力入力として、前記変換結合光起電力ＤＣ出力を確立するステップと、
前記変換されたＤＣ光起電力入力を光起電力ＡＣ電力出力に反転させるステップと
をさらに含む、請求項５に記載の太陽エネルギー電力を高度に効率的に送達する方法。
【請求項８】
同期相制御する前記ステップは、基本相切替する前記ステップを改変相切替する前記ステップと共通タイミング信号制御するステップを含む、請求項１に記載の太陽エネルギー電力を高度に効率的に送達する方法。
【請求項９】
同期相制御する前記ステップは、基本相切替する前記ステップを改変相切替する前記ステップと反対相制御するステップを含む、請求項１に記載の太陽エネルギー電力を高度に効率的に送達する方法。
【請求項１０】
基本相ＤＣ電力送達を生成する前記基本相切替するステップを光起電力境界制御する前記ステップは、前記基本相ＤＣ電力送達を光起電力電圧制限制御するステップを含み、改変相ＤＣ電力送達を生成する前記改変相切替するステップを光起電力境界制御する前記ステップは、前記改変相ＤＣ電力送達を光起電力電圧制限制御するステップを含む、請求項１に記載の太陽エネルギー電力を高度に効率的に送達する方法。
【請求項１１】
基本相ＤＣ電力送達を生成する前記基本相切替するステップを光起電力境界制御する前記ステップは、前記基本相ＤＣ電力送達を光起電力電力制限制御するステップを含み、改変相ＤＣ電力送達を生成する前記改変相切替するステップを光起電力境界制御する前記ステップは、前記改変相ＤＣ電力送達を光起電力電力制限制御するステップを含む、請求項１に記載の太陽エネルギー電力を高度に効率的に送達する方法。
【請求項１２】
基本相ＤＣ電力送達を生成する前記基本相切替するステップを光起電力境界制御する前記ステップは、前記基本相ＤＣ電力送達を温度制限制御するステップを含み、改変相ＤＣ電力送達を生成する前記改変相切替するステップを光起電力境界制御する前記ステップは、前記改変相ＤＣ電力送達を温度制限制御するステップを含む、請求項１に記載の太陽エネルギー電力を高度に効率的に送達する方法。
【請求項１３】
低貯蔵インダクタンス直列電力結合する前記ステップは、インダクタタップを有する、タップ付き磁気結合インダクタ配列を利用するステップを含み、前記基本相切替するステップを前記改変相切替するステップと結合する前記ステップは、前記インダクタタップ間で接続されたインダクタを利用するステップを含む、請求項１に記載の太陽エネルギー電力を高度に効率的に送達する方法。
【請求項１４】
前記インダクタタップ間で接続されたインダクタを利用する前記ステップは、前記インダクタタップ間で接続された低光起電力エネルギー貯蔵インダクタを利用するステップを含む、請求項１３に記載の太陽エネルギー電力を高度に効率的に送達する方法。
【請求項１５】
前記低貯蔵インダクタンスを通じて加算された前記変換結合光起電力ＤＣ出力を光起電力境界出力制御するステップをさらに含む、請求項１に記載の太陽エネルギー電力を高度に効率的に送達する方法。
【請求項１６】
前記基本相切替するステップを前記改変相切替するステップと結合する前記ステップは、２倍最大電圧配列を確立するステップを含む、請求項９に記載の太陽エネルギー電力を高度に効率的に送達する方法。
【請求項１７】
高多重動作体制出力として、前記変換結合光起電力ＤＣ出力を確立するステップをさらに含む、請求項１に記載の太陽エネルギー電力を高度に効率的に送達する方法。
【請求項１８】
第１の光起電源と、
基本相切替中間点出力を確立する、前記第1の光起電源に接続されている基本相切替回路と、
基本相光起電力境界コントローラであって、前記基本相切替回路は、少なくともいくつかの動作時間に前記基本相光起電力境界コントローラに応答する、基本相光起電力境界コントローラと、
第２の光起電源と、
改変相切替中間点出力を確立する、前記第２の光起電源に接続されている改変相切替回路と、
改変相光起電力境界コントローラであって、前記改変相切替回路は、少なくともいくつかの動作時間に前記改変相光起電力境界コントローラに応答する、改変相光起電力境界コントローラと、
同期相制御回路であって、前記基本相切替中間点出力および前記改変相切替中間点出力は、前記同期相制御回路に対してスイッチタイミング応答性である、同期相制御回路と、
変換結合光起電力ＤＣ出力を提供するために、低貯蔵エネルギーインダクタンスを通じて前記基本相切替中間点出力および前記改変相切替中間点出力を結合する低貯蔵エネルギーインダクタンス直列電力加算結合器回路と
を備える、高効率太陽エネルギー電力システム。
【請求項１９】
前記低貯蔵エネルギーインダクタンス直列電力加算結合器回路は、動作体制にわたって出力を達成するために０％〜１００％デューティサイクル範囲を利用する光起電力回路によって生成される、従来的な全サイクルリップルエネルギー貯蔵よりも小さいインダクタンスを備える、請求項１８に記載の高効率太陽エネルギー電力システム。
【請求項２０】
前記低貯蔵エネルギーインダクタンス直列電力加算結合器回路は、動作体制にわたって出力を達成するために０％〜１００％デューティサイクル範囲を利用する光起電力回路によって生成される、４分の１の従来的な全サイクルリップルエネルギー貯蔵よりも小さいまたはそれと等しいインダクタンスを備える、請求項１８に記載の高効率太陽エネルギー電力システム。
【請求項２１】
前記同期相制御回路は、共通デューティサイクルコントローラを備え、前記基本相切替回路および前記改変相切替回路は、それぞれ、前記共通デューティサイクルコントローラに応答する、請求項１８に記載の高効率太陽エネルギー電力システム。
【請求項２２】
前記同期相制御回路は、反対相制御回路を備える、請求項１８に記載の高効率太陽エネルギー電力システム。
【請求項２３】
前記基本相切替回路および前記改変相切替回路はそれぞれ、バック切替回路を備え、前記結合器回路は、直列結合インダクタを備える、請求項２２に記載の高効率太陽エネルギー電力システム。
【請求項２４】
前記低貯蔵エネルギーインダクタンス直列電力加算結合器回路は、インダクタタップを有する、タップ付き磁気結合インダクタ配列を備え、前記結合器回路は、前記インダクタタップ間に接続された直列結合インダクタを備える、請求項２２に記載の高効率太陽エネルギー電力システム。
【請求項２５】
前記基本相切替回路が少なくともいくつかの動作時間に応答する前記基本相光起電力境界コントローラは、基本相光起電力電流制限コントローラを備え、前記基本相切替回路は、少なくともいくつかの動作時間に前記基本相光起電力電流制限コントローラに応答し、前記改変相切替回路が少なくともいくつかの動作時間に応答する前記改変相光起電力境界コントローラは、改変相光起電力電流制限コントローラを備え、前記改変相切替回路は、少なくともいくつかの動作時間に前記改変相光起電力電流制限コントローラに応答する、請求項１８に記載の高効率太陽エネルギー電力システム。
【請求項２６】
前記基本相切替回路が少なくともいくつかの動作時間に応答する前記基本相光起電力境界コントローラは、基本相光起電力電圧制限コントローラを備え、前記基本相切替回路は、少なくともいくつかの動作時間に前記基本相光起電力電圧制限コントローラに応答し、前記改変相切替回路が少なくともいくつかの動作時間に応答する前記改変相光起電力境界コントローラは、改変相光起電力電圧制限コントローラを備え、前記改変相切替回路は、少なくともいくつかの動作時間に前記改変相光起電力電圧制限コントローラに応答する、請求項１８に記載の高効率太陽エネルギー電力システム。
【請求項２７】
前記基本相切替回路が少なくともいくつかの動作時間に応答する前記基本相光起電力境界コントローラは、基本相光起電力電力制限コントローラを備え、前記基本相切替回路は、少なくともいくつかの動作時間に前記基本相光起電力電力制限コントローラに応答し、前記改変相切替回路が少なくともいくつかの動作時間に応答する前記改変相光起電力境界コントローラは、改変相光起電力電力制限コントローラを備え、前記改変相切替回路は、少なくともいくつかの動作時間に前記改変相光起電力電力制限コントローラに応答する、請求項１８に記載の高効率太陽エネルギー電力システム。
【請求項２８】
前記基本相切替回路が少なくともいくつかの動作時間に応答する前記基本相光起電力境界コントローラは、基本相温度制限コントローラを備え、前記基本相切替回路は、少なくともいくつかの動作時間に前記基本相温度制限コントローラに応答し、前記改変相切替回路が少なくともいくつかの動作時間に応答する前記改変相光起電力境界コントローラは、改変相温度制限コントローラを備え、前記改変相切替回路は、少なくともいくつかの動作時間に前記改変相温度制限コントローラに応答する、請求項１８に記載の高効率太陽エネルギー電力システム。
【請求項２９】
境界出力コントローラをさらに備え、前記変換結合光起電力ＤＣ出力は、少なくともいくつかの動作時間に前記境界出力コントローラに応答する、請求項１８に記載の高効率太陽エネルギー電力システム。
【手続補正２】
【補正対象書類名】明細書
【補正対象項目名】０００８
【補正方法】変更
【補正の内容】
【０００８】
必然的に、本明細書および請求項の全体を通して、本発明の他の目標が提示される。
本発明は、例えば、以下を提供する。
（項目１）
第１の光起電源から第１の電力を受容するステップと、
基本相ＤＣ電力送達を生成するように、前記第１の電力を基本相ＤＣ−ＤＣ変換するステップと、
第２の光起電源から第２の電力を受容するステップと、
改変相ＤＣ電力送達を生成するように、前記第２の電力を改変相ＤＣ−ＤＣ変換するステップと、
基本相ＤＣ−ＤＣ変換する前記ステップを改変相ＤＣ−ＤＣ変換する前記ステップと同期相制御するステップと、
変換結合光起電力ＤＣ出力を提供するように、前記基本相ＤＣ電力送達を前記改変相ＤＣ電力送達と結合するステップと、
を含む、太陽エネルギー電力を高度に効率的に送達する方法。
（項目２）
前記基本相ＤＣ電力送達を前記改変相ＤＣ電力送達と結合する前記ステップは、前記基本相ＤＣ電力送達を前記改変相ＤＣ電力送達と直列電力結合するステップを含む、項目１に記載の太陽エネルギー電力を高度に効率的に送達する方法。
（項目３）
前記基本相ＤＣ電力送達を前記改変相ＤＣ電力送達と直列電力結合する前記ステップは、前記基本相ＤＣ電力送達および前記改変相ＤＣ電力送達からの電圧を加算するステップを含む、項目２に記載の太陽エネルギー電力を高度に効率的に送達する方法。
（項目４）
前記基本相ＤＣ電力送達および前記改変相ＤＣ電力送達からの電圧を加算する前記ステップは、前記基本相ＤＣ電力送達および前記改変相ＤＣ電力送達からの電圧を低インダクタンス加算するステップを含む、項目３に記載の太陽エネルギー電力を高度に効率的に送達する方法。
（項目５）
同期相制御する前記ステップは、基本相ＤＣ−ＤＣ変換する前記ステップを改変相ＤＣ−ＤＣ変換する前記ステップと同期してデューティサイクル制御するステップを含む、項目１に記載の太陽エネルギー電力を高度に効率的に送達する方法。
（項目６）
同期してデューティサイクル制御する前記ステップは、基本相ＤＣ−ＤＣ変換する前記ステップを改変相ＤＣ−ＤＣ変換する前記ステップと共通デューティサイクル制御するステップを含む、項目５に記載の太陽エネルギー電力を高度に効率的に送達する方法。
（項目７）
光起電力ＤＣ−ＡＣインバータへの変換されたＤＣ光起電力入力として、前記変換結合光起電力ＤＣ出力を確立するステップと、
前記変換されたＤＣ光起電力入力を光起電力ＡＣ電力出力に反転させるステップと、
をさらに含む、項目５に記載の太陽エネルギー電力を高度に効率的に送達する方法。
（項目８）
制御する前記ステップはさらに、基本相ＤＣ−ＤＣ変換する前記ステップを改変相ＤＣ−ＤＣ変換する前記ステップと光起電力インバータ入力協調制御するステップを含む、項目７に記載の太陽エネルギー電力を高度に効率的に送達する方法。
（項目９）
光起電力インバータ入力制御する前記ステップは、基本相ＤＣ−ＤＣ変換する前記ステップを改変相ＤＣ−ＤＣ変換する前記ステップと光起電力インバータ入力最適化制御するステップを含む、項目８に記載の太陽エネルギー電力を高度に効率的に送達する方法。
（項目１０）
同期相制御する前記ステップは、基本相ＤＣ−ＤＣ変換する前記ステップを改変相ＤＣ−ＤＣ変換する前記ステップと共通タイミング信号制御するステップを含む、項目１に記載の太陽エネルギー電力を高度に効率的に送達する方法。
（項目１１）
同期相制御する前記ステップは、基本相ＤＣ−ＤＣ変換する前記ステップを改変相ＤＣ−ＤＣ変換する前記ステップと反対相制御するステップを含む、項目１に記載の太陽エネルギー電力を高度に効率的に送達する方法。
（項目１２）
反対相制御する前記ステップは、基本相ＤＣ−ＤＣ変換する前記ステップを改変相ＤＣ−ＤＣ変換する前記ステップと増補光起電力出力スイートスポット制御するステップを含む、項目１１に記載の太陽エネルギー電力を高度に効率的に送達する方法。
（項目１３）
増補光起電力出力スイートスポット制御する前記ステップは、基本相ＤＣ−ＤＣ変換する前記ステップを改変相ＤＣ−ＤＣ変換する前記ステップと低温動作体制スイートスポット制御するステップを含む、項目１２に記載の太陽エネルギー電力を高度に効率的に送達する方法。
（項目１４）
増補光起電力出力スイートスポット制御する前記ステップは、基本相ＤＣ−ＤＣ変換する前記ステップを改変相ＤＣ−ＤＣ変換する前記ステップと変換発電出力スイートスポット制御するステップを含む、項目１２に記載の太陽エネルギー電力を高度に効率的に送達する方法。
（項目１５）
基本相ＤＣ−ＤＣ変換および改変相ＤＣ−ＤＣ変換する前記ステップはそれぞれ、前記入力電力をバックＤＣ−ＤＣ電力変換するステップを含み、前記基本相ＤＣ電力送達を前記改変相ＤＣ電力送達と結合する前記ステップは、変換結合光起電力ＤＣ出力を提供するように、前記基本相ＤＣ電力送達を前記改変相ＤＣ電力送達と直列インダクタ結合するステップを含む、項目１３に記載の太陽エネルギー電力を高度に効率的に送達する方法。
（項目１６）
直列インダクタ結合する前記ステップは、変換結合光起電力ＤＣ出力を提供するように、前記基本相ＤＣ電力送達を前記改変相ＤＣ電力送達と低光起電力エネルギーインダクタンス結合するステップを含む、項目１５に記載の太陽エネルギー電力を高度に効率的に送達する方法。
（項目１７）
基本相ＤＣ−ＤＣ変換および改変相ＤＣ−ＤＣ変換する前記ステップはそれぞれ、インダクタタップを有する、タップ付き磁気結合インダクタ配列を利用するステップを含み、前記基本相ＤＣ電力送達を前記改変相ＤＣ電力送達と結合する前記ステップは、前記インダクタタップ間で接続されたインダクタを利用するステップを含む、項目１２に記載の太陽エネルギー電力を高度に効率的に送達する方法。
（項目１８）
前記インダクタタップ間で接続されたインダクタを利用する前記ステップは、前記インダクタタップ間で接続された低光起電力エネルギー貯蔵インダクタを利用するステップを含む、項目１７に記載の太陽エネルギー電力を高度に効率的に送達する方法。
（項目１９）
基本相ＤＣ−ＤＣ変換する前記ステップおよび改変相ＤＣ−ＤＣ変換する前記ステップを光起電力境界出力制御するステップをさらに含む、項目１２、１５、および１７に記載の太陽エネルギー電力を高度に効率的に送達する方法。
（項目２０）
前記基本相ＤＣ電力送達を前記改変相ＤＣ電力送達と結合する前記ステップは、２倍最大電圧配列を確立するステップを含む、項目１１に記載の太陽エネルギー電力を高度に効率的に送達する方法。
（項目２１）
高多重動作体制出力として、前記変換結合光起電力ＤＣ出力を確立するステップをさらに含む、項目１に記載の太陽エネルギー電力を高度に効率的に送達する方法。
（項目２２）
少なくとも１つの光起電源から電力を受容するステップと、
前記電力を低光起電力エネルギー貯蔵ＤＣ−ＤＣ光起電力変換するステップと、
前記電力を低光起電力エネルギー貯蔵ＤＣ−ＤＣ光起電力変換する前記ステップをデューティサイクル制御するステップと、
変換された光起電力ＤＣ出力を低光起電力エネルギー貯蔵送達するステップと、
を含む、太陽エネルギー電力を高度に効率的に送達する方法。
（項目２３）
低光起電力エネルギー貯蔵ＤＣ−ＤＣ光起電力変換する前記ステップは、
前記電力を、多くても約２分の１デューティサイクル範囲リップル電流で光起電力エネルギー貯蔵変換するステップと、
前記電力を、従来の光起電力エネルギー貯蔵の多くても約２分の１で変換するステップと、
前記電力を、多くても約４分の１デューティサイクル範囲リップル電流で光起電力エネルギー貯蔵変換するステップと、
前記電力を、従来の光起電力エネルギー貯蔵の多くても約４分の１で変換するステップと、
から成る群から選択される、ステップを含む、
項目２２に記載の太陽エネルギー電力を高度に効率的に送達する方法。
（項目２４）
複数の太陽電池を光起電源として確立するステップと、
前記複数の太陽電池をソーラパネルアセンブリの中で集約するステップと、
電力を分割パネルＤＣ−ＤＣ電力変換するステップと、
前記電力を分割パネルＤＣ−ＤＣ電力変換する前記ステップをデューティサイクル制御するステップと、
高効率光起電力ＤＣ出力を高光起電力効率で送達するステップと、
を含む、太陽エネルギー電力を高度に効率的に送達する方法。
（項目２５）
高効率光起電力ＤＣ出力を高光起電力効率で送達する前記ステップは、前記電力をパネル間太陽電池加算結合するステップを含む、項目２４に記載の太陽エネルギー電力を高度に効率的に送達する方法。
（項目２６）
前記電力を分割パネルＤＣ−ＤＣ電力変換する前記ステップは、
前記ソーラパネルアセンブリ上の太陽電池の第１の集合からの電力を第１の分割パネルでＤＣ−ＤＣ光起電力変換するステップと、
前記ソーラパネルアセンブリ上の太陽電池の第２の集合からの電力を第２の分割パネルでＤＣ−ＤＣ光起電力変換するステップと、
を含む、項目２５に記載の太陽エネルギー電力を高度に効率的に送達する方法。
（項目２７）
前記ソーラパネルアセンブリ上の太陽電池の第１の集合からの電力を第１の分割パネルでＤＣ−ＤＣ光起電力変換する前記ステップは、基本相ＤＣ電力送達を生成するように基本相ＤＣ−ＤＣ変換するステップを含み、前記ソーラパネルアセンブリ上の太陽電池の第２の集合からの電力を第２の分割パネルでＤＣ−ＤＣ光起電力変換する前記ステップは、改変相ＤＣ電力送達を生成するように改変相ＤＣ−ＤＣ変換するステップを含む、項目２６に記載の太陽エネルギー電力を高度に効率的に送達する方法。
（項目２８）
前記入力電力を分割パネルＤＣ−ＤＣ電力変換する前記ステップは、前記入力電力をバックＤＣ−ＤＣ電力変換するステップを含み、前記電力をパネル間太陽電池加算結合する前記ステップは、変換結合光起電力ＤＣ出力を提供するように、直列インダクタ結合するステップを含む、項目２７に記載の太陽エネルギー電力を高度に効率的に送達する方法。
（項目２９）
前記入力電力を分割パネルＤＣ−ＤＣ電力変換する前記ステップは、前記入力電力をタップ付き磁気結合インダクタ変換するステップを含み、前記電力をパネル間太陽電池加算結合する前記ステップは、直列インダクタ結合するステップを含む、項目２７に記載の太陽エネルギー電力を高度に効率的に送達する方法。
（項目３０）
前記電力をパネル間太陽電池加算結合する前記ステップは、直列インダクタ結合するステップを含む、項目２９に記載の太陽エネルギー電力を高度に効率的に送達する方法。
（項目３１）
少なくとも１つの光起電源から電力を受容するステップと、
前記電力をタップ付き磁気結合インダクタ変換するステップと、
前記電力をタップ付き磁気結合インダクタ変換する前記ステップをデューティサイクル制御するステップと、
高効率光起電力ＤＣ出力を高光起電力効率で送達するステップと、
を含む、太陽エネルギー電力を高度に効率的に送達する方法。
（項目３２）
前記ＤＣ電力をタップ付き磁気結合インダクタ変換する前記ステップは、前記電力を低光起電力エネルギー貯蔵ＤＣ−ＤＣ光起電力変換するステップを含む、項目３１に記載の太陽エネルギー電力を高度に効率的に送達する方法。
（項目３３）
前記ＤＣ出力を低光起電力エネルギー貯蔵変換する前記ステップは、
前記電力を、多くても約２分の１デューティサイクル範囲リップル電流で光起電力エネルギー貯蔵変換するステップと、
前記電力を、従来の光起電力エネルギー貯蔵の多くても約２分の１で変換するステップと、
前記電力を、多くても約４分の１デューティサイクル範囲リップル電流で光起電力エネルギー貯蔵変換するステップと、
前記電力を、従来の光起電力エネルギー貯蔵の多くても約４分の１で変換するステップと、
から成る群から選択される、ステップを含む、
項目３２に記載の太陽エネルギー電力を高度に効率的に送達する方法。
（項目３４）
前記電力をタップ付き磁気結合インダクタ変換する前記ステップを、デューティサイクル制御する前記ステップは、タップ付き磁気結合インダクタ変換する前記ステップを、増補光起電力出力スイートスポット制御するステップを含む、項目３１に記載の太陽エネルギー電力を高度に効率的に送達する方法。
（項目３５）
高効率光起電力ＤＣ出力を高光起電力効率で送達する前記ステップは、過剰電圧配列を確立するステップを含む、項目３１に記載の太陽エネルギー電力を高度に効率的に送達する方法。
（項目３６）
過剰電圧配列を確立する前記ステップは、２倍最大電圧配列を確立するステップを含む、項目３５に記載の太陽エネルギー電力を高度に効率的に送達する方法。
（項目３７）
過剰電圧配列を確立する前記ステップは、４倍最大電圧配列を確立するステップを含む、項目３５に記載の太陽エネルギー電力を高度に効率的に送達する方法。
（項目３８）
高効率光起電力ＤＣ出力を高光起電力効率で送達する前記ステップは、二重公称動作範囲の高効率光起電力出力を確立するステップを含む、項目３１に記載の太陽エネルギー電力を高度に効率的に送達する方法。
（項目３９）
光起電力ＤＣ−ＡＣインバータへの変換されたＤＣ光起電力入力として、前記光起電力ＤＣ出力を確立するステップと、
前記変換されたＤＣ光起電力入力を光起電力ＡＣ電力出力に反転させるステップと、
をさらに含み、
前記変換するステップを光起電力インバータ入力協調制御するステップをさらに含む、項目１、１１、１２、２１、２２、３１に記載の太陽エネルギー電力を高度に効率的に送達する方法。
（項目４０）
光起電力インバータ入力協調制御する前記ステップは、前記変換するステップを光起電力インバータ入力最適化制御するステップを含む、項目３９に記載の太陽エネルギー電力を高度に効率的に送達する方法。
（項目４１）
変換する前記ステップは、バックＤＣ−ＤＣ電力変換するステップを含み、さらに、変換結合光起電力ＤＣ出力を提供するように直列インダクタ結合するステップを含む、項目３９に記載の太陽エネルギー電力を高度に効率的に送達する方法。
（項目４２）
変換する前記ステップは、インダクタタップを有するタップ付き磁気結合インダクタ配列を利用するステップを含み、さらに、前記インダクタタップに接続されたインダクタを利用するステップを含む、項目３９に記載の太陽エネルギー電力を高度に効率的に送達する方法。
（項目４３）
制御する前記ステップは、前記ＤＣ出力を光起電力境界状態制御するステップを含む、項目１、１０、１２、１２、２１、２２、３１に記載の太陽エネルギー電力を高度に効率的に送達する方法。
（項目４４）
光起電力境界状態制御する前記ステップは、前記ＤＣ出力を光起電力出力電圧制限制御するステップを含む、項目４３に記載の太陽エネルギー電力を高度に効率的に送達する方法。
（項目４５）
制御する前記ステップは、前記ＤＣ出力を光起電力境界状態制御するステップを含む、項目３９に記載の太陽エネルギー電力を高度に効率的に送達する方法。
（項目４６）
制御する前記ステップは、変換する前記ステップを共通デューティサイクル制御するステップを含む、項目３１に記載の太陽エネルギー電力を高度に効率的に送達する方法。
（項目４７）
第１の光起電源と、
基本相切替出力を有する、基本相ＤＣ−ＤＣ光起電力変換器と、
第２の光起電源と、
前記基本相切替出力に対する改変相切替出力を有する、改変相ＤＣ−ＤＣ光起電力変換器と、
前記基本相ＤＣ−ＤＣ光起電力変換器および前記改変相ＤＣ−ＤＣ光起電力変換器がスイッチタイミング応答性である、同期相制御と、
変換結合光起電力ＤＣ出力を提供する、前記基本相切替出力および前記改変相切替出力に応答する結合器回路と、
を備える、高効率太陽エネルギー電力システム。
（項目４８）
少なくとも１つの光起電源と、
低光起電力エネルギー貯蔵ＤＣ−ＤＣ光起電力変換器と、
前記低光起電力エネルギー貯蔵ＤＣ−ＤＣ光起電力変換器がスイッチタイミング応答性である、デューティサイクルコントローラと、
低光起電力エネルギー貯蔵ＤＣ出力と、
を備える、高効率太陽エネルギー電力システム。
（項目４９）
複数の太陽電池と、
前記複数の太陽電池を集約するソーラパネルアセンブリと、
少なくとも１つの分割パネルＤＣ−ＤＣ光起電力変換器と、
前記少なくとも１つの分割パネルＤＣ−ＤＣ光起電力変換器がスイッチタイミング応答性である、デューティサイクルコントローラと、
高効率光起電力ＤＣ出力と、
を備える、高効率太陽エネルギー電力システム。
（項目５０）
少なくとも１つの光起電源と、
タップ付き磁気結合インダクタ変換器と、
前記タップ付き磁気結合インダクタ変換器がスイッチタイミング応答性である、デューティサイクルコントローラと、
高効率光起電力ＤＣ出力と、
を備える、高効率太陽エネルギー電力システム。